(57)【特許請求の範囲】
【請求項１】
オブジェクトを表示する表示部と、
第１入力方式によるユーザ入力を検知する第１タッチセンシング部と、
第２入力方式によるユーザ入力を検知する第２タッチセンシング部と、
前記第１及び第２タッチセンシング部から検知された座標値を算出する座標算出部と、
前記第１及び第２タッチセンシング部から同時にユーザ入力が検知された場合、前記第１及び第２タッチセンシング部から検知された座標値を比較し、シングルタッチ入力か、マルチタッチ入力かを決定し、前記決定結果に従って前記オブジェクトを前記表示部に表示するように制御する制御部と
を含み、
前記シングルタッチ入力は、
前記第１及び第２タッチセンシング部のうち一方によって検知された座標値を表示する、
ディスプレイ装置。
【請求項２】
前記制御部は、
前記第１及び第２タッチセンシング部から検知された座標値が予め設定された距離未満である場合、シングルタッチ入力に決定し、
前記第１及び第２タッチセンシング部から検知された座標値が予め設定された距離以上である場合、マルチタッチ入力に決定することを特徴とする請求項１に記載のディスプレイ装置。
【請求項３】
前記シングルタッチ入力は、
前記第１及び第２タッチセンシング部のうち、ユーザによって設定されたタッチセンシング部によって検知された座標値を表示することを特徴とする請求項１又は２に記載のディスプレイ装置。
【請求項４】
前記マルチタッチ入力は、
前記第１及び第２タッチセンシング部によって検知された座標値をすべて表示することを特徴とする請求項１ないし３のいずれか一項に記載のディスプレイ装置。
【請求項５】
前記制御部は、
前記第１及び第２タッチセンシング部のうち、いずれか一方のみからユーザ入力が検知された場合、検知されたタッチセンシング部の座標値を算出して前記制御部に出力することを特徴とする請求項１ないし４のいずれか一項に記載のディスプレイ装置。
【請求項６】
前記第１入力方式は、
ＩＲセンシング部の含まれたデジタルペン入力方式であることを特徴とする請求項１ないし５のいずれか一項に記載のディスプレイ装置。
【請求項７】
前記第２入力方式は、
感圧式（Ｒｅｓｉｓｔｉｖｅ）、カメラ方式、ＩＲ方式、光学式（Ｏｐｔｉｃａｌ）タッチ方式及び超音波式のタッチ方式のうち、いずれか一つであることを特徴とする請求項１ないし６いずれか一項に記載のディスプレイ装置。
【請求項８】
前記ディスプレイ装置は、
電子黒板であることを特徴とする請求項１ないし７のいずれか一項に記載のディスプレイ装置。
【請求項９】
第１入力方式による第１タッチセンシング部及び第２入力方式による第２タッチセンシング部を含むディスプレイ装置のオブジェクト表示方法において、
前記第１及び第２タッチセンシング部のうち、少なくともいずれか一方によってユーザ入力を検知するステップと、
前記第１及び第２タッチセンシング部のうち、少なくともいずれか一方によって検知されたユーザ入力を通じて座標値を算出するステップと、
前記第１及び第２タッチセンシング部から同時にユーザ入力が検知された場合、前記第１及び第２タッチセンシング部から検知された座標値を比較し、シングルタッチ入力か、マルチタッチ入力かを決定するステップと、
前記決定結果に従って前記オブジェクトを表示するステップと
を含み、
前記シングルタッチ入力は、
前記第１及び第２タッチセンシング部のうち一方によって検知された座標値を表示する、
オブジェクト表示方法。
【請求項１０】
前記決定するステップは、
前記第１及び第２タッチセンシング部から検知された座標値が予め設定された距離未満である場合、シングルタッチ入力に決定し、
前記第１及び第２タッチセンシング部から検知された座標値が予め設定された距離以上である場合、マルチタッチ入力に決定することを特徴とする請求項９に記載のオブジェクト表示方法。
【請求項１１】
前記第１及び第２タッチセンシング部のうち、いずれか一方によって算出された座標値をシングルタッチ入力による座標値に設定するステップを更に含み、
前記表示するステップは、
前記シングルタッチ入力に決定された場合、前記設定されたタッチセンシング部によって検知された座標値によって前記オブジェクトを表示することを特徴とする請求項９又は１０に記載のオブジェクト表示方法。
【請求項１２】
前記表示するステップは、
前記マルチタッチ入力に決定された場合、前記第１及び第２タッチセンシング部によって検知された座標値によって前記オブジェクトを表示することを特徴とする請求項９ないし１１のいずれか一項に記載のオブジェクト表示方法。
【請求項１３】
前記第１及び第２タッチセンシング部のうち、いずれか一方のみからユーザ入力が検知された場合、検知されたタッチセンシング部の座標値を表示するステップを更に含むことを特徴とする請求項９ないし１２のいずれか一項に記載のオブジェクト表示方法。
【発明の詳細な説明】
【技術分野】
【０００１】
本発明は、ディスプレイ装置及びそのオブジェクト表示方法に関し、より詳細には、多様な入力方式による複数個のタッチセンシング部を含むディスプレイ装置及びそのオブジェクト表示方法に関する。
【背景技術】
【０００２】
ディスプレイ装置の入力手段として多様なタッチ方式が開発されてきた。特に、多様なタッチ方式のうち、ＩＲセンシング部を含むデジタルペン（Ｄｉｇｉｔａｌ  Ｐｅｎ）方式は、より精密にかつ正確な地点の座標認識が可能であり、多くの分野で使われている。
【０００３】
具体的に、ＩＲセンシング部を含むデジタルペン方式としては、ＰＤＰディスプレイ装置においてＸ軸及びＹ軸方向にスキャン放電してＩＲ光を発生させた後、デジタルペンのＩＲセンシング部が当該位置から発せられるＩＲ光を獲得し、その地点の座標値を伝送する方法（韓国特開第２００９−００５２６０６号を参照）があった。更に、他のデジタルペン方式としては、特定のＤｏｔ  Ｐａｔｔｅｒｎが描かれた表面をＩＲセンシング部の含まれたデジタルペンでキャプチャして空間上の座標を認識し、それを伝送する方法があった。
【０００４】
一方、デジタルペン方式のタッチパネルは、ＩＲセンシング部を含むデジタルペンを用いるため、指や他の物体によってはタッチ認識が不可能であった。従って、ディスプレイ装置は指や他の物体によるタッチ認識ができるように、デジタルペン方式のタッチパネル以外に指や他の物体のタッチを認識することができる別の方式（例えば、静電式、感圧式、カメラ方式やＩＲ方式等）のタッチパネルを併せて設置するようになった。
【０００５】
しかし、デジタルペン方式のタッチパネルと、その他の方式のタッチパネルを同時に使用する場合、一地点に複数個の座標値が検知されるという問題が生じることになる。具体的に、ユーザがデジタルペンをタッチセンシング部の表面に使う場合、デジタルペン入力方式のタッチパネルだけでなく、それとは異なる方式のタッチパネルも座標値を検知するようになる。この場合、ユーザはデジタルペンを用いて円滑にイベントを行うことができなくなってしまうという問題点が生じていた。
【０００６】
このような問題点を解決するための方法として、従来は二つのタッチパネルのうち、いずれか一方のタッチパネルにＯＮ／ＯＦＦモードを与える方法と、同時に入力された二つの座標値のうち、いずれか一方の座標値は無視し、他方の座標値（例えば、デジタルペン方式のタッチパネルによる座標値）のみを用いる方法が使われていた。しかし、いずれの方法も、デジタルペン方式による入力とデジタルペン方式以外の方式による入力とを同時に認識するマルチタッチ入力についてはサポートが不可能であった。
【０００７】
従って、多様な入力方式のタッチセンシング部の含まれたディスプレイ装置においてマルチタッチ入力がサポートできるような方策への模索が求められる。
【先行技術文献】
【特許文献】
【０００８】
【特許文献１】韓国特開第２０１０−０１２９０４１号公報
【特許文献２】日本特開平９−２３１００６号公報
【特許文献３】韓国特許登録第０５１０７３１号
【特許文献４】韓国特許登録第０９９７４３７号
【発明の概要】
【発明が解決しようとする課題】
【０００９】
そこで、本発明は、上記問題に鑑みてなされたものであり、本発明の目的とするところは、第１及び第２タッチセンシング部から同時にユーザ入力が検知された場合、第１及び第２タッチセンシング部から検知された座標値を比較し、シングルタッチ入力か、マルチタッチ入力かを決定するディスプレイ装置及びそのオブジェクト表示方法を提供することにある。
【課題を解決するための手段】
【００１０】
前記目的を達成するための本発明の一実施形態に係るディスプレイ装置は、オブジェクトを表示する表示部と、第１入力方式によるユーザ入力を検知する第１タッチセンシング部と、第２入力方式によるユーザ入力を検知する第２タッチセンシング部と、前記第１及び第２タッチセンシング部から検知された座標値を算出する座標算出部と、前記第１及び第２タッチセンシング部から同時にユーザ入力が検知された場合、前記第１及び第２タッチセンシング部から検知された座標値を比較し、シングルタッチ入力か、マルチタッチ入力かを決定し、前記決定結果に従って前記オブジェクトを前記表示部に表示するように制御する制御部とを含む。
【００１１】
そして、前記制御部は、前記第１及び第２タッチセンシング部から検知された座標値が予め設定された距離未満である場合、シングルタッチ入力に決定し、前記第１及び第２タッチセンシング部から検知された座標値が予め設定された距離以上である場合、マルチタッチ入力に決定してよい。
【００１２】
なお、前記シングルタッチ入力は、前記第１タッチセンシング部によって検知された座標値のみを表示してよい。
【００１３】
そして、前記シングルタッチ入力は、前記第１及び第２タッチセンシング部のうち、ユーザによって設定されたタッチセンシング部によって検知された座標値を表示してよい。
【００１４】
なお、前記マルチタッチ入力は、前記第１及び第２タッチセンシング部によって検知された座標値をすべて表示してよい。
【００１５】
そして、前記制御部は、前記第１及び第２タッチセンシング部のうち、いずれか一方のみからユーザ入力が検知された場合、検知されたタッチセンシング部の座標値を算出して前記制御部に出力してよい。
【００１６】
なお、前記第１入力方式は、ＩＲセンシング部の含まれたデジタルペン入力方式であってよい。
【００１７】
そして、前記第２入力方式は、感圧式（Ｒｅｓｉｓｔｉｖｅ）、カメラ方式、ＩＲ方式、光学式（Ｏｐｔｉｃａｌ）タッチ方式及び超音波式のタッチ方式のうち、いずれか一つであってよい。
【００１８】
なお、前記ディスプレイ装置は、電子黒板であってよい。
一方、前記目的を達成するための本発明の一実施形態に係る第１入力方式による第１タッチセンシング部及び第２入力方式による第２タッチセンシング部を含むディスプレイ装置のオブジェクト表示方法は、前記第１及び第２タッチセンシング部のうち、少なくともいずれか一方によってユーザ入力を検知するステップと、前記第１及び第２タッチセンシング部のうち、少なくともいずれか一方によって検知されたユーザ入力を通じて座標値を算出するステップと、前記第１及び第２タッチセンシング部から同時にユーザ入力が検知された場合、前記第１及び第２タッチセンシング部から検知された座標値を比較し、シングルタッチ入力か、マルチタッチ入力かを決定するステップと、前記決定結果に従って前記オブジェクトを表示するステップとを含む。
【００１９】
そして、前記決定するステップは、前記第１及び第２タッチセンシング部から検知された座標値が予め設定された距離未満である場合、シングルタッチ入力に決定し、前記第１及び第２タッチセンシング部から検知された座標値が予め設定された距離以上である場合、マルチタッチ入力に決定してよい。
【００２０】
なお、前記表示するステップは、前記シングルタッチ入力に決定された場合、前記第１タッチセンシング部によって検知された座標値によって前記オブジェクトを表示してよい。
【００２１】
そして、前記第１及び第２タッチセンシング部のうち、いずれか一方によって算出された座標値をシングルタッチ入力による座標値に設定するステップを更に含み、前記表示ステップは、前記シングルタッチ入力に決定された場合、前記設定されたタッチセンシング部によって検知された座標値によって前記オブジェクトを表示してよい。
【００２２】
なお、前記表示するステップは、前記マルチタッチ入力に決定された場合、前記第１及び第２タッチセンシング部によって検知された座標値によって前記オブジェクトを表示してよい。
【００２３】
そして、前記第１及び第２タッチセンシング部のうち、いずれか一方のみからユーザ入力が検知された場合、検知されたタッチセンシング部の座標値を表示するステップを更に含んでよい。
【００２４】
なお、前記第１入力方式は、ＩＲセンシング部の含まれたデジタルペン入力方式であってよい。
【００２５】
そして、前記第２入力方式は、感圧式（Ｒｅｓｉｓｔｉｖｅ）、カメラ方式、ＩＲ方式、光学式（Ｏｐｔｉｃａｌ）タッチ方式及び超音波式のタッチ方式のうち、いずれか一つであってよい。
【００２６】
なお、前記ディスプレイ装置は、電子黒板であってよい。
【発明の効果】
【００２７】
以上説明したように本発明によれば、本発明の多様な実施形態によると、デジタルペンだけでなく、指又は他の物体を用いてタッチを検知することができ、デジタルペンと指又は他の物体が同時にタッチされた場合、マルチタッチ入力までサポートすることができるようになる。
【図面の簡単な説明】
【００２８】
【図１】本発明の一実施形態に係るディスプレイ装置のブロック図を示す図である。
【図２】本発明の一実施形態に係るデジタルペンのみが入力された場合、座標値を算出するための方法を示す図である。
【図３】本発明の一実施形態に係るデジタルペンと指が同時に入力された場合、座標値を算出するための方法を示す図である。
【図４】本発明の一実施形態に係る指のみが入力された場合、座標値を算出するための方法を示す図である。
【図５】本発明の一実施形態に係る複数個のタッチパネルによって検知された座標値を用いてオブジェクトを表示する方法について説明するためのフローチャートである。
【発明を実施するための形態】
【００２９】
以下に添付図面を参照しながら、本発明の好適な実施形態について詳細に説明する。なお、本発明について説明するうえで、関連の公知機能或いは構成に対する具体的な説明が本発明の趣旨に反すると判断される場合、その詳細な説明を省略する。
【００３０】
図１は、本発明の一実施形態に係るディスプレイ装置１００のブロック図を示す図である。図１に示すように、ディスプレイ装置１００は、第１タッチセンシング部１１０と、第２タッチセンシング部１２０と、座標算出部１３０と、制御部１４０及び表示部１５０を含む。このとき、第１タッチセンシング部１１０、第２タッチセンシング部１２０及び表示部１５０は、一つのディスプレイパネルで構成されてよい。
【００３１】
第１タッチセンシング部１１０は、ＩＲセンシング部を含むデジタルペンを用いるデジタルペン方式のタッチセンシング部である。上述したように、デジタルペン方式は、パネルから発せられるＩＲ光をデジタルペンのＩＲセンシング部が検知し、検知された地点をディスプレイ装置に伝送することにより、検知された地点の座標値を算出する方式である。
【００３２】
第２タッチセンシング部１２０は、デジタルペンを用いるデジタルペン方式以外の他の方式によるタッチセンシング部として、ユーザの指又はデジタルペン以外の他の物体を検知することができるタッチセンシング部である。このとき、第２タッチセンシング部１２０は、感圧式（Ｒｅｓｉｓｔｉｖｅ）、カメラ方式、ＩＲ方式、光学式（Ｏｐｔｉｃａｌ）タッチ方式及び超音波式のタッチ方式のうち、いずれか一つの方式によるタッチセンシング部であってよい。具体的に、感圧式のタッチセンシング部は、タッチスクリーンに加えられる物理的な圧力によってタッチスクリーンの内部の抵抗値と電流値の変化が生じるようになり、それに基づいてタッチされた地点の座標を測定する方式である。なお、カメラ方式は、ディスプレイ装置の角にカメラを設置し、タッチしようとする地点の位置を測定する方式である。なお、ＩＲ方式は、ディスプレイの角にＩＲ発信部及びＩＲ受信部を対向させるように設置し、タッチしようとする物体がＩＲ光の受信を妨害する時点を把握して位置を測定する方式である。その他に、光学式方式及び超音波方式を用いて、ユーザの指又はデジタルペン以外の他の物体を検知することができる。
【００３３】
座標算出部１３０は、第１及び第２タッチセンシング部１１０、１２０のうち、少なくともいずれか一方によって検知されたユーザ入力を通じて座標値を算出する。このとき、座標算出部１３０は、多様な方式の入力方式によって検知されたユーザ入力の座標値を算出し、このような多様な方式の算出方法は、公知の技術として詳細な説明を省略する。
【００３４】
表示部１５０は、制御部１４０の制御に従って、座標算出部１３０から算出された座標値に対応する地点にオブジェクトを表示する。
【００３５】
制御部１４０は、座標算出部１３０によって算出された座標値に対応する地点にオブジェクトが表示されるように表示部１５０を制御する。
【００３６】
具体的に、制御部１４０は、第１及び第２タッチセンシング部１１０、１２０に同時にユーザ入力が検知されたか否かを判断する。このとき、第１及び第２タッチセンシング部１１０、１２０から同時にユーザ入力が検知された場合、制御部１４０は第１及び第２タッチセンシング部１１０、１２０から検知された座標値を比較し、シングルタッチ入力か、マルチタッチ入力かを決定する。具体的に、制御部１４０は、第１タッチセンシング部１１０及び第２タッチセンシング部１２０から検知された座標値間の距離を比較し、シングルタッチ入力か、マルチタッチ入力かを決定する。
【００３７】
具体的に、第１及び第２タッチセンシング部１１０、１２０から検知された座標値間の距離が予め設定された距離未満である場合、制御部１４０はシングルタッチ入力に決定し、第１及び第２タッチセンシング部１１０、１２０から検知された座標値間の距離が予め設定された距離以上である場合、制御部１４０はマルチタッチ入力に決定する。それは、第１及び第２タッチセンシング部１１０、１２０が座標値を算出する方式が異なるため、同じ地点をタッチするとしても、微小な差が生じるためである。従って、このような差を考慮し、両タッチセンシング部から検知された座標値間の距離が予め設定された距離以下である場合、制御部１１０は同一の地点をタッチしていると判断し、シングルタッチ入力に決定する。しかし、両タッチセンシング部から検知された座標値間の距離が予め設定された値以上である場合、制御部１４０は二つの地点をタッチしていると判断し、マルチタッチ入力に決定する。このとき、予め設定された距離は、両タッチセンシング部１１０、１２０から検知された座標値がほぼ同一の点であると判断され得るだけの距離として、０.５ｍｍであってよい。しかし、このような距離は、一実施形態に過ぎず、別の値に設定されてよい。
【００３８】
なお、第１及び第２タッチセンシング部１１０、１２０から検知された座標値間の距離が予め設定された距離以下である場合であっても、制御部１４０はユーザにシングルタッチ入力の有無に対する確認を求めるために、“シングルタッチ入力の有無”を決定するためのＵＩを生成することができる。このとき、ＵＩを通じて“シングルタッチ入力”であることを決定した場合、制御部１４０はユーザの入力をシングルタッチ入力に決定し、“マルチタッチ入力”であることを決定した場合、制御部１４０はユーザの入力をマルチタッチ入力に決定してよい。
【００３９】
なお、上述のシングルタッチ入力とは、両タッチセンシング部のうち、いずれか一方のタッチセンシング部から検知された座標値を表示することをいう。このとき、一方のタッチセンシング部はより精密な表現が可能なデジタルペン方式の第１タッチセンシング部１１０に優先権を与えることができる。しかし、それは一実施形態に過ぎず、ユーザによって設定されたタッチセンシング部から検知された座標値を表示することができる。なお、マルチタッチ入力とは、両タッチセンシング部から検知された座標値のすべてを表示するものである。
【００４０】
しかし、第１及び第２タッチセンシング部１１０、１２０のうち、いずれか一方のタッチセンシング部のみからユーザ入力が検知された場合、制御部１４０は検知されたタッチセンシング部の座標値を表示する。
【００４１】
以下では、図２ないし図４を参照しながら、制御部１４０が座標値を決定する多様な実施形態について説明する。このとき、図２ないし図４に示された第１タッチセンシング部１１０は、ＩＲセンシング部を含むデジタルペン方式のタッチセンシング部であり、第２タッチセンシング部１２０は、角にカメラ１２１、１２２、１２３、１２４を備えるカメラ方式のタッチセンシング部である。しかし、第２タッチセンシング部１２０がカメラ方式のタッチセンシング部であることは一実施形態に過ぎず、感圧式、ＩＲ方式、光学式又は超音波方式のタッチセンシング部であってよい。
【００４２】
図２は、本発明の一実施形態に係るデジタルペン２００のみが入力された場合、座標値を算出するための方法を示す図である。図２に示すように、複数のタッチセンシング部１１０、１２０にデジタルペン２００を用いてタッチする場合、第１タッチセンシング部１１０及び第２タッチセンシング部１２０は同時にデジタルペン２００を検知するようになる。
【００４３】
このとき、制御部１５０は、第１タッチセンシング部１１０及び第２タッチセンシング部１２０が同時にデジタルペン２００を検知しているため、第１タッチセンシング部１１０から検知された座標値と、第２タッチセンシング部１２０から検知された座標値との間の距離を比較する。具体的に、第１タッチセンシング部１１０から検知された座標値である（ｘ１、ｙ１）と、第２タッチセンシング部１２０から検知された座標値である（ｘ２、ｙ２）の距離を比較する。このとき、デジタルペン２００が第１タッチセンシング部１１０及び第２タッチセンシング部１２０の同一の地点をタッチしているため、（ｘ１、ｙ１）と（ｘ２、ｙ２）との間の距離は、予め設定された距離未満になる。従って、制御部１４０は、第１タッチセンシング部１１０及び第２タッチセンシング部１２０から検知された座標値が同一の地点をタッチしていると判断し、優先権の与えられた第１タッチセンシング部１１０の値のみを表示部１５０に表示するようになる。従って、両タッチセンシング部１１０、１２０がデジタルペン２００をすべて検知するとしても、複数の座標値が表示されるわけではなく、精密な表現が可能であるため、優先権の与えられた第１タッチセンシング部１１０のみの座標値を表示できるようになる。
【００４４】
図３は、本発明の一実施形態に係るデジタルペン２００と指３００とが同時に入力された場合、座標値を算出するための方法を示す図である。図３に示すように、複数のタッチセンシング部１１０、１２０にデジタルペン２００と指３００を用いてタッチする場合、デジタルペン２００は第１タッチセンシング部１１０及び第２タッチセンシング部１２０から検知され、指３００は第２タッチセンシング部１２０から検知される。
【００４５】
図２において説明しているように、デジタルペン２００が第１タッチセンシング部１１０及び第２タッチセンシング部１２０から同時に検知されるとしても、制御部１５０は両タッチセンシング部１１０、１２０から検知された座標値（（ｘ３、ｙ３）、（ｘ４、ｙ４））間の距離が予め設定された距離未満であるため、第１タッチセンシング部１１０から検知された座標値のみが決定される。
【００４６】
しかし、デジタルペン２００だけでなく、指３００も同時に検知されているため、制御部２００は第１タッチセンシング部１１０から検知されたデジタルペンの座標値と第２タッチセンシング部１２０から検知された指座標値とを比較する。具体的に、第１タッチセンシング部１１０から検知されたデジタルペンの座標値である（ｘ３、ｙ３）と第２タッチセンシング部１２０から検知された指の座標値（ｘ５、ｙ５）との距離を比較する。このとき、デジタルペン２００がタッチした地点と指３００がタッチした地点とが異なる地点であるため、（ｘ３、ｙ３）と（ｘ５、ｙ５）との間の距離は予め設定された距離以上となる。従って、制御部１４０は、第１タッチセンシング部１１０及び第２タッチセンシング部１２０から検知された座標値が相違している地点をタッチしていると判断し、両タッチセンシング部１１０、１２０から検知された座標値である（ｘ３、ｙ３）、（ｘ５、ｙ５）をすべて表示部１５０に表示するようになる。従って、異なる入力方式によって同時にタッチされるとしても、一つの入力方式のみが表示されるわけではなく、複数の入力方式をすべて表示できるマルチタッチ入力が可能となる。
【００４７】
図４は、本発明の一実施形態に係る指のみが入力された場合、座標値を算出するための方法を示す図である。図４に示すように、複数のタッチセンシング部１１０、１２０に指３００を用いてタッチする場合、指３００は第２タッチセンシング部１２０のみによって検知される。それは、指３００にはＩＲセンシング部が含まれていないためである。
【００４８】
従って、制御部１４０は、第２タッチセンシング部１２０から検知された座標値（ｘ６、ｙ６）のみを表示部１５０に表示するようになる。
【００４９】
上述の多様な実施形態において説明したように、複数の入力方式を有する複数のタッチセンシング部が含まれるとしても、ディスプレイ装置１００はデジタルペン及びデジタルペン以外の物体のうちいずれか一つによって入力された場合、シングルタッチ入力であると判断してよく、デジタルペン及びデジタルペン以外の物体がすべて入力された場合、マルチタッチ入力であると判断してよい。
【００５０】
図５は、本発明の一実施形態に係る複数個のタッチパネルによって検知された座標値を用いてオブジェクトを表示する方法について説明するためのフローチャートである。
【００５１】
まず、ディスプレイ装置１００は、第１及び第２タッチセンシング部１１０、１２０のうち、少なくともいずれか一方を検知する（Ｓ５１０）。このとき、第１タッチセンシング部１１０は、ＩＲセンシング部の含まれたデジタルペン方式のタッチセンシング部であり、第２タッチセンシング部１１０はデジタルペン方式以外の感圧式、カメラ方式、ＩＲ方式、光学式及び超音波方式のうち、いずれか一つの方式によるタッチセンシング部であってよい。
【００５２】
そして、ディスプレイ装置１００は、第１及び第２タッチセンシング部１１０、１２０のうち、少なくともいずれか一方によって検知されたユーザ入力を通じて座標値を算出する（Ｓ５２０）。
【００５３】
その後、ディスプレイ装置１００は、第１及び第２タッチセンシング部１１０、１２０から同時にユーザ入力が検知されたか否かを判断する（Ｓ５３０）。第１及び第２タッチセンシング部１１０、１２０から同時にユーザ入力が検知されなかった場合（Ｓ５３０−Ｎ）、即ち、第１及び第２タッチセンシング部１１０、１２０のうち、いずれか一方のタッチセンシング部のみからユーザ入力が検知された場合、ディスプレイ装置１１０は検知されたタッチセンシング部に対する座標値でオブジェクトを表示する。例えば、指を用いてタッチ入力を行った場合、第２タッチセンシング部１２０のみからユーザ入力が検知されるため、ディスプレイ装置１１０は第２タッチセンシング部によって検知された座標値でオブジェクトを表示する。
【００５４】
しかし、第１及び第２タッチセンシング部１１０、１２０から同時にユーザ入力が検知された場合（Ｓ５３０−Ｙ）、ディスプレイ装置１００は第１及び第２タッチセンシング部１１０、１２０から検知された座標の間の距離が所定距離以内であるか否かを判断する（Ｓ５５０）。即ち、ディスプレイ装置１００は、第１及び第２タッチセンシング部１１０、１２０から検知された座標値が同一地点の座標値であるか否かを判断する。
【００５５】
第１及び第２タッチセンシング部１１０、１２０から検知された座標の間の距離が所定距離以内である場合（Ｓ５５０−Ｙ）、ディスプレイ装置１００はシングルタッチ入力に決定する（Ｓ５８０）。例えば、デジタルペン２００が第１タッチセンシング部１１０及び第２タッチセンシング部１２０から同時に検知された場合、第１及び第２タッチセンシング部１１０、１２０から検知された座標値の距離は、所定距離以内となる。従って、ディスプレイ装置１００は、同一地点に対するタッチ入力と認識し、シングルタッチ入力に決定する。
【００５６】
このとき、シングルタッチ入力は、両タッチセンシング部のうち、いずれか一方のタッチセンシング部から検知された座標値を表示する入力のことをいう。このとき、一方のタッチセンシング部は、より精密な表現が可能なデジタルペン方式の第１タッチセンシング部１１０に優先権を与えることができる。しかし、それは一実施形態に過ぎず、ユーザによって設定されたタッチセンシング部から検知された座標値を表示してよい。
【００５７】
シングルタッチ入力に決定されると、ディスプレイ装置１００は第１タッチセンシング部から検知された座標値でオブジェクトを表示する（Ｓ５９０）。
【００５８】
第１及び第２タッチセンシング部１１０、１２０から検知された座標間の距離が所定距離以上である場合（Ｓ５５０−Ｎ）、ディスプレイ装置１００はマルチタッチ入力に決定する（Ｓ５６０）。例えば、デジタルペン２００が第１タッチセンシング部１１０に検知され、それと同時に、指が第２タッチセンシング部１２０によって検知された場合、第１及び第２タッチセンシング部１１０、１２０から検知された座標値の距離は、所定距離以上となる。従って、ディスプレイ装置１００は、両タッチセンシングに対するタッチ入力が相違する地点に対するタッチ地点として認識し、マルチタッチ入力に決定する。
【００５９】
このとき、マルチタッチ入力とは、第１及び第２タッチセンシング部１１０、１２０から検知された座標値のすべてを表示する入力のことをいう。
【００６０】
マルチタッチ入力に決定されると、ディスプレイ装置１００は第１タッチセンシング部１１０及び第２タッチセンシング部１２０から検知された座標値のすべてを用いてオブジェクトを表示する（Ｓ５７０）。
【００６１】
上述のような方法を通じて、デジタルペンだけでなく、指又は他の物体を用いてタッチを検知することができ、デジタルペンと指又は他の物体が同時にタッチされた場合、マルチタッチ入力までサポートできるようになる。
【００６２】
一方、本発明の一実施形態に係るディスプレイ装置１００は、大画面の電子黒板であってよい。しかし、それは一実施形態に過ぎず、タッチセンシング部を用いてユーザ入力が可能なディスプレイ装置なら、本発明の技術的思想の適用が可能となる。
【００６３】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【図１】
0006027328.tif 000002
【図２】
0006027328.tif 000003
【図３】
0006027328.tif 000004
【図４】
0006027328.tif 000005
【図５】
0006027328.tif 000006